(57)【要約】  三者間通信機能を用いて新たなカードアプリを効率的に格納することができる非接触ＩＣを搭載した携帯端末を提供する。  この非接触ＩＣ２０を搭載した携帯端末１０は、非接触ＩＣ２０が、カードアプリを格納するカードアプリ格納部２４を備え、携帯端末１０が、カードアプリを含めたアプリを格納するアプリ格納部１５を備える。非接触ＩＣ２０が外部Ｒ／Ｗ３０と非接触通信を行い、外部Ｒ／Ｗ３０から選択されたカードアプリをカードアプリ格納部２４に格納する際に、そのカードアプリの格納領域が、カードアプリ格納部２４に既に格納されているカードアプリを、アプリ格納部１５に退避することで確保される。非接触ＩＣ２０のカードアプリ格納部２４に格納されたカードアプリの退避が、三者間通信機能を用いて行われる。【特許請求の範囲】
【請求項１】
非接触ＩＣを搭載した携帯端末装置であって、
前記非接触ＩＣは、カードアプリケーションを格納するカードアプリケーション格納部と、前記カードアプリケーションの前記カードアプリケーション格納部への格納及び前記カードアプリケーション格納部からの退避を制御するカードマネージャとを備え、
前記携帯端末装置は、カードアプリケーションを含めたアプリケーションを格納するアプリケーション格納部を備え、
前記非接触ＩＣが外部リーダ／ライタと非接触通信を行い、前記外部リーダ／ライタから選択されたカードアプリケーションを前記カードアプリケーション格納部に格納する際に、前記カードマネージャが、三者間通信機能を利用して、前記カードアプリケーション格納部に既に格納されているカードアプリケーションを前記アプリケーション格納部に退避させることで、前記カードアプリケーションの格納領域を確保する、
非接触ＩＣを搭載した携帯端末装置。
【請求項２】
請求項１に記載の非接触ＩＣを搭載した携帯端末装置であって、前記カードアプリケーション格納部に格納される前記カードアプリケーションが、前記外部リーダ／ライタからダウンロードされる、非接触ＩＣを搭載した携帯端末装置。
【請求項３】
請求項１に記載の非接触ＩＣを搭載した携帯端末装置であって、
前記カードアプリケーション格納部に格納される前記カードアプリケーションが、前記アプリケーション格納部からインストールされる、非接触ＩＣを搭載した携帯端末装置。
【請求項４】
請求項１に記載の非接触ＩＣを搭載した携帯端末装置であって、
前記非接触ＩＣは、さらに、前記非接触ＩＣにダウンロードされたカードアプリケーションのアプリケーション識別子が登録されるアプリケーション識別子登録部を備え、前記携帯端末装置は、さらに、前記アプリケーション格納部に格納されたカードアプリケーションのアプリケーション識別子が登録されるアプリケーション識別子管理部を備える、非接触ＩＣを搭載した携帯端末装置。
【請求項５】
請求項１に記載の非接触ＩＣを搭載した携帯端末装置であって、
カードアプリケーションの利用頻度に基づいて、前記カードアプリケーション格納部から退避するカードアプリケーションが選択される、非接触ＩＣを搭載した携帯端末装置。
【請求項６】
請求項１に記載の非接触ＩＣを搭載した携帯端末装置であって、
前記カードアプリケーション格納部から退避するカードアプリケーションの数が最小となるように、カードアプリケーションのデータサイズに基づいて、退避対象のカードアプリケーションが選択される、非接触ＩＣを搭載した携帯端末装置。
【請求項７】
請求項６に記載の非接触ＩＣを搭載した携帯端末装置であって、
前記退避対象が一義的に決まらない場合に、前記退避対象のカードアプリケーションの利用頻度に基づいて、前記カードアプリケーション格納部から退避するカードアプリケーションが選択される、非接触ＩＣを搭載した携帯端末装置。
【請求項８】
請求項１に記載の非接触ＩＣを搭載した携帯端末装置であって、
前記カードアプリケーション格納部から退避するカードアプリケーションが保有するデータを前記非接触ＩＣ内で保持する、非接触ＩＣを搭載した携帯端末装置。
【請求項９】
非接触ＩＣを搭載した携帯端末装置であって、
前記非接触ＩＣは、カードアプリケーションを格納するカードアプリケーション格納部と、前記カードアプリケーションの前記カードアプリケーション格納部への格納及び前記カードアプリケーション格納部からの退避を制御するカードマネージャとを備え、
前記携帯端末装置は、カードアプリケーションを含めたアプリケーションを格納するアプリケーション格納部を備え、
前記非接触ＩＣが外部リーダ／ライタと非接触通信を行い、前記外部リーダ／ライタから選択されたカードアプリケーションを前記カードアプリケーション格納部に格納する際に、前記カードマネージャが三者間通信機能を利用して、前記アプリケーション格納部から前記カードアプリケーションをインストールする、
非接触ＩＣを搭載した携帯端末装置。
【請求項１０】
請求項９に記載の非接触ＩＣを搭載した携帯端末装置であって、
前記非接触ＩＣは、さらに、前記非接触ＩＣにダウンロードされたカードアプリケーションのアプリケーション識別子が登録されるアプリケーション識別子登録部を備え、前記携帯端末装置は、さらに、前記アプリケーション格納部に格納されたカードアプリケーションのアプリケーション識別子が登録されるアプリケーション識別子管理部を備える、非接触ＩＣを搭載した携帯端末装置。
【請求項１１】
請求項９に記載の非接触ＩＣを搭載した携帯端末装置であって、
前記カードアプリケーション格納部から退避するカードアプリケーションが保有するデータを前記非接触ＩＣ内で保持する、非接触ＩＣを搭載した携帯端末装置。
【発明の詳細な説明】
【技術分野】
【０００１】
本発明は、外部リーダ／ライタ（以下、リーダ／ライタを「Ｒ／Ｗ」と言う）との間で非接触通信を行う非接触ＩＣカードの機能を備えた携帯端末装置に関し、特に、非接触ＩＣカードへのカードアプリケーション（以下、アプリケーションを「アプリ」と言う）のインストールが自動的に行われるようにしたものである。
【背景技術】
【０００２】
ＩＣカードは、単体内にデータ処理機能と情報の記憶領域とを備えており、高い秘匿性を有している。近年、このＩＣカードを携帯電話やＰＤＡ等の携帯端末に装着し、あるいは、ＩＣカード機能を持つＩＣチップを携帯端末に埋め込むことにより、携帯端末の機能拡大が図られている。【０００３】
また、下記特許文献１に記載されているように、ＩＣカードとして、外部Ｒ／Ｗとの非接触通信機能を持つ非接触ＩＣカードが装着され、あるいは、非接触ＩＣカードチップが埋め込まれた携帯端末も出現している。これらの携帯端末を、この明細書では"非接触ＩＣ"を搭載した携帯端末と呼ぶことにする。【０００４】
携帯端末に搭載された非接触ＩＣに電子マネー決済のカードアプリがインストールされている場合は、外部Ｒ／ＷとなるＰＯＳ端末に携帯端末を翳して、商品購入代金を電子マネーで決済することが可能であり、その際の決済履歴や残額データが非接触ＩＣのデータ記憶領域に記録される。また、非接触ＩＣに定期券のカードアプリがインストールされている場合は、外部Ｒ／Ｗである改札機に携帯端末を翳すことにより、改札機の通り抜けが可能になる。【０００５】
非接触ＩＣを搭載した携帯端末では、特許文献１に記載されているように、外部Ｒ／Ｗと非接触ＩＣとの間で行われる処理と、非接触ＩＣと携帯端末との間の処理とを連動させることが可能であり、例えば、非接触ＩＣとＰＯＳ端末との間で電子マネーの決済処理が行われたとき、携帯端末が非接触ＩＣから残高情報を取得する処理を行い、携帯端末の表示画面に残高を表示することができる。このように、外部Ｒ／Ｗ、非接触ＩＣ及び携帯端末の三者は、連携した処理が可能であり、これを三者間通信機能あるいは三者間連携機能と呼んでいる。【０００６】
非接触ＩＣは、記憶容量が許す範囲で、複数のカードアプリを格納することができる。外部Ｒ／Ｗは、その通信圏内に進入した非接触ＩＣに対して、起動すべきカードアプリを指定し、指定されたカードアプリを非接触ＩＣが起動することによって、外部Ｒ／Ｗのサービスを受けるための非接触通信処理が開始される。ただし、非接触ＩＣが、指定されたカードアプリを有していなければ、外部Ｒ／Ｗのサービスを受けることはできない。【０００７】
下記特許文献２には、携帯端末に装着したＩＣカードに、新たなカードアプリをインストールする方法が開示されている。【０００８】
この方法は、ＩＣカードチップと、大容量のメモリカードチップとを含むＩＣカードを用いて行われる。カード保持者がカードアプリ入手要求の起動操作を行うと、携帯端末はＩＣカードプログラム発行管理サーバから、要求されたカードアプリを取得する。ＩＣカードチップの記憶領域に必要な空き容量が存在する場合は、そのカードアプリがＩＣカードチップに格納される。また、必要な空き容量が無い場合は、ＩＣカードチップに既に格納されているカードアプリの中から、カード保持者が選択した１または複数のカードアプリがメモリカードチップに移され、ＩＣカードチップからは削除される。こうして、ＩＣカードチップに必要な空き容量を確保した後、新たなカードアプリがＩＣカードチップに格納される。【０００９】
このとき、削除するカードアプリによって保持されている情報（例えば、決済履歴や残額データ）を保存する必要が有る場合は、この情報がＩＣカードチップから取り出されてメモリカードチップに格納される。【００１０】
メモリカードチップに移されたカードアプリは、カード保持者が、その使用を選択したとき、再度ＩＣカードチップに格納されて利用される。
【特許文献１】特開２００３−６０７４８
【特許文献２】特開２００４−１１０３２０
【発明の開示】
【発明が解決しようとする課題】
【００１１】
非接触ＩＣを搭載した携帯端末の場合も、その利便性を高めるためには、非接触ＩＣに初期登録されていないカードアプリを後からインストールできるようにすることが必要である。【００１２】
しかし、特許文献２に記載されたカードアプリの格納方法は、ダウンロードするカードアプリや削除するカードアプリ、起動するカードアプリの選択をそれぞれカード保持者が行う方式であるため、非接触ＩＣを搭載した携帯端末には適さない。【００１３】
非接触ＩＣを搭載した携帯端末では、例えば、携帯端末を外部Ｒ／Ｗに翳したとき、非接触ＩＣが外部Ｒ／Ｗの指定するカードアプリを保持していなければ、それを即時に取得して、外部Ｒ／Ｗのサービスを受けるための非接触通信を実行するような機動性が望まれる。【００１４】
本発明は、こうした事情を考慮して創案したものであり、三者間通信機能を用いて新たなカードアプリを効率的に非接触ＩＣに格納することができる非接触ＩＣを搭載した携帯端末を提供することを目的としている。
【課題を解決するための手段】
【００１５】
本発明の非接触ＩＣを搭載した携帯端末は、非接触ＩＣが、カードアプリを格納するカードアプリ格納部と、カードアプリのカードアプリ格納部への格納及びカードアプリ格納部からの退避を制御するカードマネージャとを備え、携帯端末が、カードアプリを含めたアプリを格納するアプリ格納部を備えており、非接触ＩＣが外部リーダ／ライタと非接触通信を行い、外部Ｒ／Ｗから選択されたカードアプリをカードアプリ格納部に格納する際に、カードマネージャが、三者間通信機能を利用して、カードアプリ格納部に既に格納されているカードアプリをアプリ格納部に退避させることで、カードアプリの格納領域を確保する。【００１６】
非接触ＩＣのカードアプリ格納部に必要な空き容量を確保するため、三者間通信機能を用いて、カードアプリ格納部に格納されている他のカードアプリを携帯端末のアプリ格納部に退避させる。【００１７】
また、本発明の非接触ＩＣを搭載した携帯端末では、非接触ＩＣが外部リーダ／ライタと非接触通信を行い、外部リーダ／ライタから選択されたカードアプリをカードアプリ格納部に格納する際に、カードマネージャが、三者間通信機能を利用して、アプリ格納部からカードアプリをインストールする。【００１８】
外部Ｒ／Ｗの提供するサービスを受けるためのカードアプリが携帯端末で保持されている場合に、そのカードアプリが携帯端末から非接触ＩＣにダウンロードされる。【００１９】
また、本発明の非接触ＩＣを搭載した携帯端末では、カードアプリ格納部に格納されるカードアプリが、外部Ｒ／Ｗからダウンロードされる。【００２０】
外部Ｒ／Ｗの提供するサービスを受けるためのカードアプリが非接触ＩＣでも携帯端末でも保持されていない場合に、そのカードアプリが外部Ｒ／Ｗからダウンロードされる。【００２１】
また、本発明の非接触ＩＣを搭載した携帯端末では、非接触ＩＣが、さらに、非接触ＩＣにダウンロードされたカードアプリのアプリ識別子が登録されるアプリ識別子登録部を備え、携帯端末が、さらに、アプリ格納部に格納されたカードアプリのアプリ識別子が登録されるアプリ識別子管理部を備えている。【００２２】
非接触ＩＣは、アプリ識別子登録部に登録されたアプリ識別子から、外部Ｒ／Ｗにより選択されたカードアプリがダウンロード済みのものであるか否かを知ることができる。【００２３】
また、本発明の非接触ＩＣを搭載した携帯端末では、カードアプリの利用頻度に基づいて、カードアプリ格納部から退避するカードアプリが選択される。【００２４】
利用頻度の低いカードアプリが退避対象となる。【００２５】
また、本発明の非接触ＩＣを搭載した携帯端末では、カードアプリ格納部から退避するカードアプリの数が最小となるように、カードアプリのデータサイズに基づいて、退避対象のカードアプリが選択される。【００２６】
退避するカードアプリの数が少ないため、短時間で退避処理が実行できる。
また、本発明の非接触ＩＣを搭載した携帯端末では、カードアプリのデータサイズだけでは、退避対象が一義的に決まらない場合に、退避対象のカードアプリの利用頻度に基づいて、カードアプリ格納部から退避するカードアプリが選択される。【００２７】
利用頻度の低い、少ない数のカードアプリが退避対象となる。【００２８】
また、本発明の非接触ＩＣを搭載した携帯端末では、カードアプリ格納部から退避するカードアプリが保有するデータを非接触ＩＣ内で保持する。【００２９】
そのため、データのセキュリティが守られる。
【発明の効果】
【００３０】
本発明の非接触ＩＣを搭載した携帯端末は、ユーザが携帯端末を外部Ｒ／Ｗに翳した場合に、その外部Ｒ／Ｗのサービスを受けるためのカードアプリが非接触ＩＣに無いときでも、三者間通信機能を使って、必要なカードアプリを自動的に非接触ＩＣにインストールすることができる。【００３１】
このカードアプリのインストールは、ユーザが意識することなく行われ、インストールに要する記憶領域は、カードアプリの退避によって自動的に確保される。
【図面の簡単な説明】
【００３２】
【図１】本発明の実施形態における非接触ＩＣを搭載した携帯端末の構成を示すブロック図
【図２】本発明の実施形態におけるＡＩＤの登録テーブル（ａ）、及び、管理テーブル（ｂ）を示す図
【図３】本発明の実施形態における非接触ＩＣを搭載した携帯端末の動作を示す図（カードアプリを携帯端末から非接触ＩＣにインストールする場合）
【図４】本発明の実施形態における非接触ＩＣを搭載した携帯端末の動作を示す図（カードアプリを非接触ＩＣから退避させて、必要なカードアプリを携帯端末から非接触ＩＣにインストールする場合）
【図５】本発明の実施形態における非接触ＩＣを搭載した携帯端末の動作を示す図（カードアプリを外部Ｒ／Ｗから非接触ＩＣにインストールする場合）
【符号の説明】
【００３３】
１０  携帯端末
１１  制御部
１２  通信部
１３  ＡＩＤ管理部
１４  アプリマネージャ
１５  アプリ格納領域
２０  非接触ＩＣ
２１  Ｒ／Ｗ
２２  カードマネージャ
２３  ＡＩＤ登録部
２４  カードアプリ格納領域
２５  バックアップデータ格納領域
２６  Ｉ／Ｆ部
３０  外部Ｒ／Ｗ
【発明を実施するための最良の形態】
【００３４】
図１は、本発明の実施形態における非接触ＩＣを搭載した携帯端末の構成を示すブロック図である。【００３５】
非接触ＩＣ２０を搭載する携帯端末１０は、アプリマネージャ１４と、退避したカードアプリが格納されるアプリ格納領域１５と、カードアプリのアプリ識別子（Application Identify：ＡＩＤ)が記録されるＡＩＤ管理部１３と、ネットワークを通じて通信を行う通信部１２と、三者間通信を制御する制御部１１とを備えている。【００３６】
また、非接触ＩＣ２０は、外部Ｒ／Ｗ３０との間で非接触通信を行うＲ／Ｗ２１と、携帯端末１０との間で接触通信を行うインターフェース（Ｉ／Ｆ）部２６と、カードマネージャ２２と、カードアプリ格納領域２４と、バックアップデータ格納領域２５と、非接触ＩＣ２０にダウンロードされたカードアプリのＡＩＤが記録されるＡＩＤ登録部２３とを備えている。【００３７】
カードアプリ格納領域２４には、予め登録されたカードアプリや、Ｒ／Ｗ２１を通じて外部Ｒ／Ｗ３０から取得したカードアプリ、あるいは、携帯端末１０の通信部１２を通じてサーバ（不図示）から取得したカードアプリが、そのカードアプリの保有するデータとともに、記憶容量の許す範囲で格納される。【００３８】
カードマネージャ２２は、非接触ＩＣ２０上のカードアプリを管理し、ＡＩＤ登録部２３へのＡＩＤの登録、カードアプリ格納領域２４へのカードアプリの格納、カードアプリの起動、カードアプリ格納領域２４の空き容量の計算、空き容量が不足するときのカードアプリの退避対象の選択等を行い、また、カードアプリが退避されるときに、そのカードアプリの保有データをバックアップデータ格納領域２５に格納する。【００３９】
ＡＩＤ登録部２３には、図２（ａ）に示す登録テーブルが保持されており、カードマネージャ２２は、登録テーブルにデータを記録し、このテーブルを用いて非接触ＩＣ２０上のカードアプリを管理する。【００４０】
登録テーブルには、これまでに非接触ＩＣ２０にダウンロードされた全てのカードアプリのＡＩＤが「登録済みＡＩＤ」として記録され、そのカードアプリの「データサイズ」「利用回数」「カードアプリ格納場所」「（カードアプリ保有データの）データ格納場所」が記録される。「カードアプリ格納場所」には、現在、カードアプリがカードアプリ格納領域２４に格納されていれば、カードアプリ格納領域２４を示す識別子（＃１）が記述され、カードアプリが退避されていれば、携帯端末１０のアプリ格納領域１５を示す識別子（＃２）が記述される。また、「データ格納場所」には、現在、カードアプリがカードアプリ格納領域２４に格納されていれば、何も記載されず、カードアプリが退避されていれば、バックアップデータ格納領域２５を示す識別子（＃３）が記述される。【００４１】
また、携帯端末１０のアプリ格納領域１５には、端末アプリとともに、非接触ＩＣ２０から退避されたカードアプリが格納される。【００４２】
アプリマネージャ１４は、端末アプリとともに、非接触ＩＣ２０から退避されたカードアプリの管理を行い、アプリ格納領域１５にカードアプリを格納し、非接触ＩＣ２０からの要求に応じて、カードアプリを非接触ＩＣ２０へ復帰させる。【００４３】
ＡＩＤ管理部１３には、カードアプリ用の管理テーブルとして、図２（ｂ）に示すテーブルが保持されている。この管理テーブルには、アプリ格納領域１５に格納されているカードアプリがアプリマネージャ１４によって記述される。【００４４】
制御部１１は、非接触ＩＣ２０が外部Ｒ／Ｗ３０との間で非接触通信を実行すると、その実行後（または実行中）に、三者間通信機能により非接触ＩＣ２０にアクセスし、非接触通信の結果や非接触ＩＣ２０の要求を聞き出す。非接触ＩＣ２０からアプリ格納領域１５に格納されていないカードアプリが要求された場合は、通信部１２を通じてサーバ（不図示）からカードアプリを取得し、非接触ＩＣ２０に転送する。【００４５】
図３、図４及び図５は、この非接触ＩＣを搭載した携帯端末の動作を模式的に示す図である。図３は、ＰＯＳ端末（外部Ｒ／Ｗ）３０により選択されたカードアプリが携帯端末１０のアプリ格納領域１５に格納されている場合に、そのカードアプリをアプリ格納領域１５から非接触ＩＣ２０のカードアプリ格納領域２４に転送して、インストールする手順を示している。図４は、この場合に、非接触ＩＣ２０のカードアプリ格納領域２４に、カードアプリを受け入れる空きが無いときの手順を示しており、カードアプリ格納領域２４に格納されている他のカードアプリを携帯端末１０のアプリ格納領域１５に退避させることにより、カードアプリ格納領域２４の空きが作られる。また、図５は、非接触ＩＣ２０が保持していないカードアプリをＰＯＳ端末３０からダウンロードする場合の手順を示しており、図４と同様に、非接触ＩＣ２０のカードアプリ格納領域２４に、カードアプリを受け入れる空きがないとき、カードアプリ格納領域２４に格納されたカードアプリを携帯端末１０に退避させてカードアプリ格納領域２４の空きが作られる。【００４６】
図３の手順は、次の通りである。非接触ＩＣ２０がＰＯＳ端末３０の非接触通信領域に達するまで、携帯端末１０をＰＯＳ端末３０に近付けると、ＰＯＳ端末３０は、起動を求めるカードアプリを選択して、そのカードアプリのＡＩＤ（ここでは、ＡＩＤ：１２３４５６とする。）を非接触ＩＣ２０に伝え、カードアプリの有無を確認する（１）。【００４７】
非接触ＩＣ２０のカードマネージャ２２は、登録テーブルから登録済みＡＩＤをチェックし、選択されたＡＩＤ：１２３４５６が登録済みＡＩＤとして記録され、格納場所が携帯電話１０のアプリ格納領域１５とされている場合に、三者間通信機能により、携帯端末１０にＡＩＤ：１２３４５６の有無を確認する（２）。【００４８】
携帯端末１０のアプリマネージャ１４は、管理テーブルにＡＩＤ：１２３４５６が登録されていることを確認すると、そのカードアプリを携帯端末１０から非接触ＩＣ２０へ移して、非接触ＩＣ２０にインストールする（３）。このとき、非接触ＩＣ２０のカードアプリ格納領域２４に、このカードアプリを受け入れる空き容量が存在していれば、インストールは成功する。【００４９】
非接触ＩＣ２０は、ＰＯＳ端末３０にＡＩＤ：１２３４５６の選択に応ずる旨を回答する（４）。【００５０】
なお、この場合、ＰＯＳ端末３０によるカードアプリの有無の確認（１）に対して、一旦、非接触ＩＣ２０が「カードアプリ無し」を回答し、その後に、三者間通信機能により、前記（２）（３）の処理を行い、再度、ＰＯＳ端末３０からカードアプリの有無の確認が有ったときに、前記（４）の回答を行うようにしても良い。【００５１】
図４の場合は、図３と同様に、ＰＯＳ端末３０によるアプリ選択（１）、非接触ＩＣ２０の携帯端末１０に対するＡＩＤ有無確認（２）、携帯端末１０から非接触ＩＣ２０へのカードアプリ（ＡＩＤ：１２３４５６）のインストール（３）が行われる。ただし、カードアプリ格納領域２４に、このカードアプリを格納するための空き容量が無いため、インストールに失敗し、その旨が非接触ＩＣ２０から携帯端末１０に回答される。【００５２】
携帯端末１０のアプリマネージャ１４は、非接触ＩＣ２０のカードアプリ格納領域２４に格納されているカードアプリの中から、カードマネージャ２２が選択したカードアプリを携帯端末１０のアプリ格納領域１５に退避させて、カードアプリ格納領域２４に、必要な空き容量を確保する（４）。【００５３】
このとき、カードマネージャ２２は、ＡＩＤ：１２３４５６のカードアプリのデータサイズからカードアプリ格納領域２４の現在の空き容量を減算して、確保すべき空き容量を算出し、カードアプリ格納領域２４に格納されているカードアプリの中から、利用回数の少ないカードアプリから順に、そのデータサイズを加算し、その合計量が確保すべき空き容量に達するまで加算したカードアプリを退避対象として選択する。【００５４】
また、カードマネージャ２２は、カードアプリの退避が行われる際、そのカードアプリが保有するデータをバックアップデータ格納領域２５に退避させる。【００５５】
アプリマネージャ１４は、カードアプリ格納領域２４に必要な空き容量を確保した後、再び、カードアプリ（ＡＩＤ：１２３４５６）を非接触ＩＣ２０にインストールする（５）。【００５６】
カードアプリ（ＡＩＤ：１２３４５６）がインストールされた非接触ＩＣ２０は、ＰＯＳ端末３０にＡＩＤ：１２３４５６の選択に応ずる旨を回答する（６）。【００５７】
また、図５には、ＰＯＳ端末３０により選択されたカードアプリ（ＡＩＤ：１２３４５６）が、登録テーブルの登録済みＡＩＤに含まれていないため、非接触ＩＣ２０がＰＯＳ端末３０に対して「カードアプリ無し」を回答した後の手順を示している。【００５８】
ＰＯＳ端末３０は、保持しているカードアプリ（ＡＩＤ：１２３４５６）を非接触ＩＣ２０にダウンロード（ＤＬ）する処理を開始する（１）。非接触ＩＣ２０のカードマネージャ２２は、カードアプリ（ＡＩＤ：１２３４５６）のＤＬに必要なカードアプリ格納領域２４の空き容量を計算し（２）、必要な空き容量が有る場合は、ＤＬを実施する。必要な空き容量が無い場合は、カードアプリ格納領域２４に格納されているカードアプリの中から退避対象のカードアプリＣを選択する。アプリマネージャ１４は、三社通信機能により、カードアプリＣを携帯端末１０のアプリ格納領域１５に退避させて、カードアプリ格納領域２４に、必要な空き容量を作る（３）。【００５９】
非接触ＩＣ２０は、ＰＯＳ端末３０に対して、カードアプリＤＬの結果（ＤＬ失敗、ＤＬ失敗したが退避ＯＫ、ＤＬ成功）を返す（４）。【００６０】
非接触ＩＣ２０の回答が「ＤＬ失敗したが退避ＯＫ」の場合には、ＰＯＳ端末３０は、再度ＤＬを実施し、これに対して、非接触ＩＣ２０は、カードアプリＤＬの結果（ＤＬ失敗、ＤＬ成功）をＰＯＳ端末３０に返す。【００６１】
なお、この場合、ＰＯＳ端末３０のカードアプリＤＬ処理（１）に対して、一旦、非接触ＩＣ２０が「容量無し」を回答し、その後に、三者間通信機能により、前記（２）（３）の処理を実施し、必要な空き容量が確保された段階で、ＰＯＳ端末３０が、再度、カードアプリＤＬ処理（１）を行うようにしても良い。【００６２】
このように、この非接触ＩＣを搭載した携帯端末では、ユーザが携帯端末を外部Ｒ／Ｗに翳した場合に、その外部Ｒ／Ｗのサービスを受けるために必要なカードアプリが非接触ＩＣに無いときでも、三者間通信機能を使って、そのカードアプリが自動的に非接触ＩＣにインストールされ、サービスを受けることができる。【００６３】
このカードアプリのインストールは、ユーザが意識することなく行われる。また、非接触ＩＣの空き容量を考慮せずに、このインストールを行うことができる。【００６４】
また、カードアプリを非接触ＩＣから退避する場合に、そのカードアプリが保有していたデータを非接触ＩＣ内で保持し続けるため、安全性が確保される。【００６５】
なお、退避対象のカードアプリは、例えば、
（１）できるだけ少ないカードアプリ数で必要な空き容量が確保できるものを選択する。
（２）（１）において複数の選択肢が存在する場合は、利用頻度の低いものを選択する。
（３）事前にユーザが設定したカードアプリの優先順位に従って選択する。
等の基準に基づいて選択しても良い。【００６６】
また、携帯端末１０のアプリ格納領域１５として、携帯端末１０内のメモリや携帯端末１０に装着できるメモリカードなどを用いることができる。【００６７】
また、非接触ＩＣからのカードアプリの退避は、非接触ＩＣが携帯端末との認証に成功した場合に限ることとしても良い。また、非接触ＩＣは、認証が成功した場合にのみカードアプリの退避制限が解除されるものであっても良い。【００６８】
本出願は、２００５年６月２９日出願の日本特許出願（特願２００５−１８９８５１）に基づくものであり、その内容はここに参照として取り込まれる。【００６９】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００７０】
本発明の非接触ＩＣを搭載した携帯端末は、電子決済機能や定期券機能、チケット機能などの各種サービス機能を併せ持つ携帯電話やＰＤＡ等の携帯端末として広く利用することができる。
【図１】
2007001030.tif 000002
【図２】
2007001030.tif 000003
【図３】
2007001030.tif 000004
【図４】
2007001030.tif 000005
【図５】
2007001030.tif 000006
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
非接触ＩＣを搭載した携帯端末装置であって、
前記非接触ＩＣは、カードアプリケーションを格納するカードアプリケーション格納部と、前記カードアプリケーションの前記カードアプリケーション格納部への格納及び前記カードアプリケーション格納部からの退避を制御するカードマネージャとを備え、
前記携帯端末装置は、カードアプリケーションを含めたアプリケーションを格納するアプリケーション格納部を備え、
前記非接触ＩＣが外部リーダ／ライタと非接触通信を行い、前記外部リーダ／ライタから選択されたカードアプリケーションを前記カードアプリケーション格納部に格納する際に、前記カードマネージャが、前記カードアプリケーション格納部に既に格納されているカードアプリケーションを前記アプリケーション格納部に退避させることで、前記カードアプリケーションの格納領域を確保する、
非接触ＩＣを搭載した携帯端末装置。
【請求項２】
請求項１に記載の非接触ＩＣを搭載した携帯端末装置であって、前記カードアプリケーション格納部に格納される前記カードアプリケーションが、前記外部リーダ／ライタからダウンロードされる、非接触ＩＣを搭載した携帯端末装置。
【請求項３】
請求項１に記載の非接触ＩＣを搭載した携帯端末装置であって、
前記カードアプリケーション格納部に格納される前記カードアプリケーションが、前記アプリケーション格納部からインストールされる、非接触ＩＣを搭載した携帯端末装置。
【請求項４】
請求項１に記載の非接触ＩＣを搭載した携帯端末装置であって、
前記非接触ＩＣは、さらに、前記非接触ＩＣにダウンロードされたカードアプリケーションのアプリケーション識別子が登録されるアプリケーション識別子登録部を備え、前記携帯端末装置は、さらに、前記アプリケーション格納部に格納されたカードアプリケーションのアプリケーション識別子が登録されるアプリケーション識別子管理部を備える、非接触ＩＣを搭載した携帯端末装置。
【請求項５】
請求項１に記載の非接触ＩＣを搭載した携帯端末装置であって、
カードアプリケーションの利用頻度に基づいて、前記カードアプリケーション格納部から退避するカードアプリケーションが選択される、非接触ＩＣを搭載した携帯端末装置。
【請求項６】
請求項１に記載の非接触ＩＣを搭載した携帯端末装置であって、
前記カードアプリケーション格納部から退避するカードアプリケーションの数が最小となるように、カードアプリケーションのデータサイズに基づいて、退避対象のカードアプリケーションが選択される、非接触ＩＣを搭載した携帯端末装置。
【請求項７】
請求項６に記載の非接触ＩＣを搭載した携帯端末装置であって、
前記退避対象が一義的に決まらない場合に、前記退避対象のカードアプリケーションの利用頻度に基づいて、前記カードアプリケーション格納部から退避するカードアプリケーションが選択される、非接触ＩＣを搭載した携帯端末装置。
【請求項８】
請求項１に記載の非接触ＩＣを搭載した携帯端末装置であって、
前記カードアプリケーション格納部から退避するカードアプリケーションが保有するデータを前記非接触ＩＣ内で保持する、非接触ＩＣを搭載した携帯端末装置。
【請求項９】
非接触ＩＣを搭載した携帯端末装置であって、
前記非接触ＩＣは、カードアプリケーションを格納するカードアプリケーション格納部と、前記カードアプリケーションの前記カードアプリケーション格納部への格納及び前記カードアプリケーション格納部からの退避を制御するカードマネージャとを備え、
前記携帯端末装置は、カードアプリケーションを含めたアプリケーションを格納するアプリケーション格納部を備え、
前記非接触ＩＣが外部リーダ／ライタと非接触通信を行い、前記外部リーダ／ライタから選択されたカードアプリケーションを前記カードアプリケーション格納部に格納する際に、前記カードマネージャが前記アプリケーション格納部から前記カードアプリケーションをインストールする、
非接触ＩＣを搭載した携帯端末装置。
【請求項１０】
請求項９に記載の非接触ＩＣを搭載した携帯端末装置であって、
前記非接触ＩＣは、さらに、前記非接触ＩＣにダウンロードされたカードアプリケーションのアプリケーション識別子が登録されるアプリケーション識別子登録部を備え、前記携帯端末装置は、さらに、前記アプリケーション格納部に格納されたカードアプリケーションのアプリケーション識別子が登録されるアプリケーション識別子管理部を備える、非接触ＩＣを搭載した携帯端末装置。
【請求項１１】
請求項９に記載の非接触ＩＣを搭載した携帯端末装置であって、
前記カードアプリケーション格納部から退避するカードアプリケーションが保有するデータを前記非接触ＩＣ内で保持する、非接触ＩＣを搭載した携帯端末装置。
【手続補正２】
【補正対象書類名】明細書
【補正対象項目名】全文
【補正方法】変更
【補正の内容】
【発明の詳細な説明】
【技術分野】
【０００１】
本発明は、外部リーダ／ライタ（以下、リーダ／ライタを「Ｒ／Ｗ」と言う）との間で非接触通信を行う非接触ＩＣカードの機能を備えた携帯端末装置に関し、特に、非接触ＩＣカードへのカードアプリケーション（以下、アプリケーションを「アプリ」と言う）のインストールが自動的に行われるようにしたものである。
【背景技術】
【０００２】
ＩＣカードは、単体内にデータ処理機能と情報の記憶領域とを備えており、高い秘匿性を有している。近年、このＩＣカードを携帯電話やＰＤＡ等の携帯端末に装着し、あるいは、ＩＣカード機能を持つＩＣチップを携帯端末に埋め込むことにより、携帯端末の機能拡大が図られている。
【０００３】
また、下記特許文献１に記載されているように、ＩＣカードとして、外部Ｒ／Ｗとの非接触通信機能を持つ非接触ＩＣカードが装着され、あるいは、非接触ＩＣカードチップが埋め込まれた携帯端末も出現している。これらの携帯端末を、この明細書では"非接触ＩＣ"を搭載した携帯端末と呼ぶことにする。
【０００４】
携帯端末に搭載された非接触ＩＣに電子マネー決済のカードアプリがインストールされている場合は、外部Ｒ／ＷとなるＰＯＳ端末に携帯端末を翳して、商品購入代金を電子マネーで決済することが可能であり、その際の決済履歴や残額データが非接触ＩＣのデータ記憶領域に記録される。また、非接触ＩＣに定期券のカードアプリがインストールされている場合は、外部Ｒ／Ｗである改札機に携帯端末を翳すことにより、改札機の通り抜けが可能になる。
【０００５】
非接触ＩＣを搭載した携帯端末では、特許文献１に記載されているように、外部Ｒ／Ｗと非接触ＩＣとの間で行われる処理と、非接触ＩＣと携帯端末との間の処理とを連動させることが可能であり、例えば、非接触ＩＣとＰＯＳ端末との間で電子マネーの決済処理が行われたとき、携帯端末が非接触ＩＣから残高情報を取得する処理を行い、携帯端末の表示画面に残高を表示することができる。このように、外部Ｒ／Ｗ、非接触ＩＣ及び携帯端末の三者は、連携した処理が可能であり、これを三者間通信機能あるいは三者間連携機能と呼んでいる。
【０００６】
非接触ＩＣは、記憶容量が許す範囲で、複数のカードアプリを格納することができる。外部Ｒ／Ｗは、その通信圏内に進入した非接触ＩＣに対して、起動すべきカードアプリを指定し、指定されたカードアプリを非接触ＩＣが起動することによって、外部Ｒ／Ｗのサービスを受けるための非接触通信処理が開始される。ただし、非接触ＩＣが、指定されたカードアプリを有していなければ、外部Ｒ／Ｗのサービスを受けることはできない。
【０００７】
下記特許文献２には、携帯端末に装着したＩＣカードに、新たなカードアプリをインストールする方法が開示されている。
【０００８】
この方法は、ＩＣカードチップと、大容量のメモリカードチップとを含むＩＣカードを用いて行われる。カード保持者がカードアプリ入手要求の起動操作を行うと、携帯端末はＩＣカードプログラム発行管理サーバから、要求されたカードアプリを取得する。ＩＣカードチップの記憶領域に必要な空き容量が存在する場合は、そのカードアプリがＩＣカードチップに格納される。また、必要な空き容量が無い場合は、ＩＣカードチップに既に格納されているカードアプリの中から、カード保持者が選択した１または複数のカードアプリがメモリカードチップに移され、ＩＣカードチップからは削除される。こうして、ＩＣカードチップに必要な空き容量を確保した後、新たなカードアプリがＩＣカードチップに格納される。
【０００９】
このとき、削除するカードアプリによって保持されている情報（例えば、決済履歴や残額データ）を保存する必要が有る場合は、この情報がＩＣカードチップから取り出されてメモリカードチップに格納される。
【００１０】
メモリカードチップに移されたカードアプリは、カード保持者が、その使用を選択したとき、再度ＩＣカードチップに格納されて利用される。
【特許文献１】特開２００３−６０７４８号公報
【特許文献２】特開２００４−１１０３２０号公報
【発明の開示】
【発明が解決しようとする課題】
【００１１】
非接触ＩＣを搭載した携帯端末の場合も、その利便性を高めるためには、非接触ＩＣに初期登録されていないカードアプリを後からインストールできるようにすることが必要である。
【００１２】
しかし、特許文献２に記載されたカードアプリの格納方法は、ダウンロードするカードアプリや削除するカードアプリ、起動するカードアプリの選択をそれぞれカード保持者が行う方式であるため、非接触ＩＣを搭載した携帯端末には適さない。
【００１３】
非接触ＩＣを搭載した携帯端末では、例えば、携帯端末を外部Ｒ／Ｗに翳したとき、非接触ＩＣが外部Ｒ／Ｗの指定するカードアプリを保持していなければ、それを即時に取得して、外部Ｒ／Ｗのサービスを受けるための非接触通信を実行するような機動性が望まれる。
【００１４】
本発明は、こうした事情を考慮して創案したものであり、三者間通信機能を用いて新たなカードアプリを効率的に非接触ＩＣに格納することができる非接触ＩＣを搭載した携帯端末を提供することを目的としている。
【課題を解決するための手段】
【００１５】
本発明の非接触ＩＣを搭載した携帯端末は、非接触ＩＣが、カードアプリを格納するカードアプリ格納部と、カードアプリのカードアプリ格納部への格納及びカードアプリ格納部からの退避を制御するカードマネージャとを備え、携帯端末が、カードアプリを含めたアプリを格納するアプリ格納部を備えており、非接触ＩＣが外部リーダ／ライタと非接触通信を行い、外部Ｒ／Ｗから選択されたカードアプリをカードアプリ格納部に格納する際に、カードマネージャが、三者間通信機能を利用して、カードアプリ格納部に既に格納されているカードアプリをアプリ格納部に退避させることで、カードアプリの格納領域を確保する。
【００１６】
非接触ＩＣのカードアプリ格納部に必要な空き容量を確保するため、三者間通信機能を用いて、カードアプリ格納部に格納されている他のカードアプリを携帯端末のアプリ格納部に退避させる。
【００１７】
また、本発明の非接触ＩＣを搭載した携帯端末では、非接触ＩＣが外部リーダ／ライタと非接触通信を行い、外部リーダ／ライタから選択されたカードアプリをカードアプリ格納部に格納する際に、カードマネージャが、三者間通信機能を利用して、アプリ格納部からカードアプリをインストールする。
【００１８】
外部Ｒ／Ｗの提供するサービスを受けるためのカードアプリが携帯端末で保持されている場合に、そのカードアプリが携帯端末から非接触ＩＣにダウンロードされる。
【００１９】
また、本発明の非接触ＩＣを搭載した携帯端末では、カードアプリ格納部に格納されるカードアプリが、外部Ｒ／Ｗからダウンロードされる。
【００２０】
外部Ｒ／Ｗの提供するサービスを受けるためのカードアプリが非接触ＩＣでも携帯端末でも保持されていない場合に、そのカードアプリが外部Ｒ／Ｗからダウンロードされる。
【００２１】
また、本発明の非接触ＩＣを搭載した携帯端末では、非接触ＩＣが、さらに、非接触ＩＣにダウンロードされたカードアプリのアプリ識別子が登録されるアプリ識別子登録部を備え、携帯端末が、さらに、アプリ格納部に格納されたカードアプリのアプリ識別子が登録されるアプリ識別子管理部を備えている。
【００２２】
非接触ＩＣは、アプリ識別子登録部に登録されたアプリ識別子から、外部Ｒ／Ｗにより選択されたカードアプリがダウンロード済みのものであるか否かを知ることができる。
【００２３】
また、本発明の非接触ＩＣを搭載した携帯端末では、カードアプリの利用頻度に基づいて、カードアプリ格納部から退避するカードアプリが選択される。
【００２４】
利用頻度の低いカードアプリが退避対象となる。
【００２５】
また、本発明の非接触ＩＣを搭載した携帯端末では、カードアプリ格納部から退避するカードアプリの数が最小となるように、カードアプリのデータサイズに基づいて、退避対象のカードアプリが選択される。
【００２６】
退避するカードアプリの数が少ないため、短時間で退避処理が実行できる。
また、本発明の非接触ＩＣを搭載した携帯端末では、カードアプリのデータサイズだけでは、退避対象が一義的に決まらない場合に、退避対象のカードアプリの利用頻度に基づいて、カードアプリ格納部から退避するカードアプリが選択される。
【００２７】
利用頻度の低い、少ない数のカードアプリが退避対象となる。
【００２８】
また、本発明の非接触ＩＣを搭載した携帯端末では、カードアプリ格納部から退避するカードアプリが保有するデータを非接触ＩＣ内で保持する。
【００２９】
そのため、データのセキュリティが守られる。
【発明の効果】
【００３０】
本発明の非接触ＩＣを搭載した携帯端末は、ユーザが携帯端末を外部Ｒ／Ｗに翳した場合に、その外部Ｒ／Ｗのサービスを受けるためのカードアプリが非接触ＩＣに無いときでも、三者間通信機能を使って、必要なカードアプリを自動的に非接触ＩＣにインストールすることができる。
【００３１】
このカードアプリのインストールは、ユーザが意識することなく行われ、インストールに要する記憶領域は、カードアプリの退避によって自動的に確保される。
【発明を実施するための最良の形態】
【００３２】
図１は、本発明の実施形態における非接触ＩＣを搭載した携帯端末の構成を示すブロック図である。
【００３３】
非接触ＩＣ２０を搭載する携帯端末１０は、アプリマネージャ１４と、退避したカードアプリが格納されるアプリ格納領域１５と、カードアプリのアプリ識別子（Application Identify：ＡＩＤ)が記録されるＡＩＤ管理部１３と、ネットワークを通じて通信を行う通信部１２と、三者間通信を制御する制御部１１とを備えている。
【００３４】
また、非接触ＩＣ２０は、外部Ｒ／Ｗ３０との間で非接触通信を行うＲ／Ｗ２１と、携帯端末１０との間で接触通信を行うインターフェース（Ｉ／Ｆ）部２６と、カードマネージャ２２と、カードアプリ格納領域２４と、バックアップデータ格納領域２５と、非接触ＩＣ２０にダウンロードされたカードアプリのＡＩＤが記録されるＡＩＤ登録部２３とを備えている。
【００３５】
カードアプリ格納領域２４には、予め登録されたカードアプリや、Ｒ／Ｗ２１を通じて外部Ｒ／Ｗ３０から取得したカードアプリ、あるいは、携帯端末１０の通信部１２を通じてサーバ（不図示）から取得したカードアプリが、そのカードアプリの保有するデータとともに、記憶容量の許す範囲で格納される。
【００３６】
カードマネージャ２２は、非接触ＩＣ２０上のカードアプリを管理し、ＡＩＤ登録部２３へのＡＩＤの登録、カードアプリ格納領域２４へのカードアプリの格納、カードアプリの起動、カードアプリ格納領域２４の空き容量の計算、空き容量が不足するときのカードアプリの退避対象の選択等を行い、また、カードアプリが退避されるときに、そのカードアプリの保有データをバックアップデータ格納領域２５に格納する。
【００３７】
ＡＩＤ登録部２３には、図２（ａ）に示す登録テーブルが保持されており、カードマネージャ２２は、登録テーブルにデータを記録し、このテーブルを用いて非接触ＩＣ２０上のカードアプリを管理する。
【００３８】
登録テーブルには、これまでに非接触ＩＣ２０にダウンロードされた全てのカードアプリのＡＩＤが「登録済みＡＩＤ」として記録され、そのカードアプリの「データサイズ」「利用回数」「カードアプリ格納場所」「（カードアプリ保有データの）データ格納場所」が記録される。「カードアプリ格納場所」には、現在、カードアプリがカードアプリ格納領域２４に格納されていれば、カードアプリ格納領域２４を示す識別子（＃１）が記述され、カードアプリが退避されていれば、携帯端末１０のアプリ格納領域１５を示す識別子（＃２）が記述される。また、「データ格納場所」には、現在、カードアプリがカードアプリ格納領域２４に格納されていれば、何も記載されず、カードアプリが退避されていれば、バックアップデータ格納領域２５を示す識別子（＃３）が記述される。
【００３９】
また、携帯端末１０のアプリ格納領域１５には、端末アプリとともに、非接触ＩＣ２０から退避されたカードアプリが格納される。
【００４０】
アプリマネージャ１４は、端末アプリとともに、非接触ＩＣ２０から退避されたカードアプリの管理を行い、アプリ格納領域１５にカードアプリを格納し、非接触ＩＣ２０からの要求に応じて、カードアプリを非接触ＩＣ２０へ復帰させる。
【００４１】
ＡＩＤ管理部１３には、カードアプリ用の管理テーブルとして、図２（ｂ）に示すテーブルが保持されている。この管理テーブルには、アプリ格納領域１５に格納されているカードアプリがアプリマネージャ１４によって記述される。
【００４２】
制御部１１は、非接触ＩＣ２０が外部Ｒ／Ｗ３０との間で非接触通信を実行すると、その実行後（または実行中）に、三者間通信機能により非接触ＩＣ２０にアクセスし、非接触通信の結果や非接触ＩＣ２０の要求を聞き出す。非接触ＩＣ２０からアプリ格納領域１５に格納されていないカードアプリが要求された場合は、通信部１２を通じてサーバ（不図示）からカードアプリを取得し、非接触ＩＣ２０に転送する。
【００４３】
図３、図４及び図５は、この非接触ＩＣを搭載した携帯端末の動作を模式的に示す図である。図３は、ＰＯＳ端末（外部Ｒ／Ｗ）３０により選択されたカードアプリが携帯端末１０のアプリ格納領域１５に格納されている場合に、そのカードアプリをアプリ格納領域１５から非接触ＩＣ２０のカードアプリ格納領域２４に転送して、インストールする手順を示している。図４は、この場合に、非接触ＩＣ２０のカードアプリ格納領域２４に、カードアプリを受け入れる空きが無いときの手順を示しており、カードアプリ格納領域２４に格納されている他のカードアプリを携帯端末１０のアプリ格納領域１５に退避させることにより、カードアプリ格納領域２４の空きが作られる。また、図５は、非接触ＩＣ２０が保持していないカードアプリをＰＯＳ端末３０からダウンロードする場合の手順を示しており、図４と同様に、非接触ＩＣ２０のカードアプリ格納領域２４に、カードアプリを受け入れる空きがないとき、カードアプリ格納領域２４に格納されたカードアプリを携帯端末１０に退避させてカードアプリ格納領域２４の空きが作られる。
【００４４】
図３の手順は、次の通りである。非接触ＩＣ２０がＰＯＳ端末３０の非接触通信領域に達するまで、携帯端末１０をＰＯＳ端末３０に近付けると、ＰＯＳ端末３０は、起動を求めるカードアプリを選択して、そのカードアプリのＡＩＤ（ここでは、ＡＩＤ：１２３４５６とする。）を非接触ＩＣ２０に伝え、カードアプリの有無を確認する（１）。
【００４５】
非接触ＩＣ２０のカードマネージャ２２は、登録テーブルから登録済みＡＩＤをチェックし、選択されたＡＩＤ：１２３４５６が登録済みＡＩＤとして記録され、格納場所が携帯電話１０のアプリ格納領域１５とされている場合に、三者間通信機能により、携帯端末１０にＡＩＤ：１２３４５６の有無を確認する（２）。
【００４６】
携帯端末１０のアプリマネージャ１４は、管理テーブルにＡＩＤ：１２３４５６が登録されていることを確認すると、そのカードアプリを携帯端末１０から非接触ＩＣ２０へ移して、非接触ＩＣ２０にインストールする（３）。このとき、非接触ＩＣ２０のカードアプリ格納領域２４に、このカードアプリを受け入れる空き容量が存在していれば、インストールは成功する。
【００４７】
非接触ＩＣ２０は、ＰＯＳ端末３０にＡＩＤ：１２３４５６の選択に応ずる旨を回答する（４）。
【００４８】
なお、この場合、ＰＯＳ端末３０によるカードアプリの有無の確認（１）に対して、一旦、非接触ＩＣ２０が「カードアプリ無し」を回答し、その後に、三者間通信機能により、前記（２）（３）の処理を行い、再度、ＰＯＳ端末３０からカードアプリの有無の確認が有ったときに、前記（４）の回答を行うようにしても良い。
【００４９】
図４の場合は、図３と同様に、ＰＯＳ端末３０によるアプリ選択（１）、非接触ＩＣ２０の携帯端末１０に対するＡＩＤ有無確認（２）、携帯端末１０から非接触ＩＣ２０へのカードアプリ（ＡＩＤ：１２３４５６）のインストール（３）が行われる。ただし、カードアプリ格納領域２４に、このカードアプリを格納するための空き容量が無いため、インストールに失敗し、その旨が非接触ＩＣ２０から携帯端末１０に回答される。
【００５０】
携帯端末１０のアプリマネージャ１４は、非接触ＩＣ２０のカードアプリ格納領域２４に格納されているカードアプリの中から、カードマネージャ２２が選択したカードアプリを携帯端末１０のアプリ格納領域１５に退避させて、カードアプリ格納領域２４に、必要な空き容量を確保する（４）。
【００５１】
このとき、カードマネージャ２２は、ＡＩＤ：１２３４５６のカードアプリのデータサイズからカードアプリ格納領域２４の現在の空き容量を減算して、確保すべき空き容量を算出し、カードアプリ格納領域２４に格納されているカードアプリの中から、利用回数の少ないカードアプリから順に、そのデータサイズを加算し、その合計量が確保すべき空き容量に達するまで加算したカードアプリを退避対象として選択する。
【００５２】
また、カードマネージャ２２は、カードアプリの退避が行われる際、そのカードアプリが保有するデータをバックアップデータ格納領域２５に退避させる。
【００５３】
アプリマネージャ１４は、カードアプリ格納領域２４に必要な空き容量を確保した後、再び、カードアプリ（ＡＩＤ：１２３４５６）を非接触ＩＣ２０にインストールする（５）。
【００５４】
カードアプリ（ＡＩＤ：１２３４５６）がインストールされた非接触ＩＣ２０は、ＰＯＳ端末３０にＡＩＤ：１２３４５６の選択に応ずる旨を回答する（６）。
【００５５】
また、図５には、ＰＯＳ端末３０により選択されたカードアプリ（ＡＩＤ：１２３４５６）が、登録テーブルの登録済みＡＩＤに含まれていないため、非接触ＩＣ２０がＰＯＳ端末３０に対して「カードアプリ無し」を回答した後の手順を示している。
【００５６】
ＰＯＳ端末３０は、保持しているカードアプリ（ＡＩＤ：１２３４５６）を非接触ＩＣ２０にダウンロード（ＤＬ）する処理を開始する（１）。非接触ＩＣ２０のカードマネージャ２２は、カードアプリ（ＡＩＤ：１２３４５６）のＤＬに必要なカードアプリ格納領域２４の空き容量を計算し（２）、必要な空き容量が有る場合は、ＤＬを実施する。必要な空き容量が無い場合は、カードアプリ格納領域２４に格納されているカードアプリの中から退避対象のカードアプリＣを選択する。アプリマネージャ１４は、三者通信機能により、カードアプリＣを携帯端末１０のアプリ格納領域１５に退避させて、カードアプリ格納領域２４に、必要な空き容量を作る（３）。
【００５７】
非接触ＩＣ２０は、ＰＯＳ端末３０に対して、カードアプリＤＬの結果（ＤＬ失敗、ＤＬ失敗したが退避ＯＫ、ＤＬ成功）を返す（４）。
【００５８】
非接触ＩＣ２０の回答が「ＤＬ失敗したが退避ＯＫ」の場合には、ＰＯＳ端末３０は、再度ＤＬを実施し、これに対して、非接触ＩＣ２０は、カードアプリＤＬの結果（ＤＬ失敗、ＤＬ成功）をＰＯＳ端末３０に返す。
【００５９】
なお、この場合、ＰＯＳ端末３０のカードアプリＤＬ処理（１）に対して、一旦、非接触ＩＣ２０が「容量無し」を回答し、その後に、三者間通信機能により、前記（２）（３）の処理を実施し、必要な空き容量が確保された段階で、ＰＯＳ端末３０が、再度、カードアプリＤＬ処理（１）を行うようにしても良い。
【００６０】
このように、この非接触ＩＣを搭載した携帯端末では、ユーザが携帯端末を外部Ｒ／Ｗに翳した場合に、その外部Ｒ／Ｗのサービスを受けるために必要なカードアプリが非接触ＩＣに無いときでも、三者間通信機能を使って、そのカードアプリが自動的に非接触ＩＣにインストールされ、サービスを受けることができる。
【００６１】
このカードアプリのインストールは、ユーザが意識することなく行われる。また、非接触ＩＣの空き容量を考慮せずに、このインストールを行うことができる。
【００６２】
また、カードアプリを非接触ＩＣから退避する場合に、そのカードアプリが保有していたデータを非接触ＩＣ内で保持し続けるため、安全性が確保される。
【００６３】
なお、退避対象のカードアプリは、例えば、
（１）できるだけ少ないカードアプリ数で必要な空き容量が確保できるものを選択する。
（２）（１）において複数の選択肢が存在する場合は、利用頻度の低いものを選択する。
（３）事前にユーザが設定したカードアプリの優先順位に従って選択する。
等の基準に基づいて選択しても良い。
【００６４】
また、携帯端末１０のアプリ格納領域１５として、携帯端末１０内のメモリや携帯端末１０に装着できるメモリカードなどを用いることができる。
【００６５】
また、非接触ＩＣからのカードアプリの退避は、非接触ＩＣが携帯端末との認証に成功した場合に限ることとしても良い。また、非接触ＩＣは、認証が成功した場合にのみカードアプリの退避制限が解除されるものであっても良い。
【００６６】
本出願は、２００５年６月２９日出願の日本特許出願（特願２００５−１８９８５１）に基づくものであり、その内容はここに参照として取り込まれる。
【００６７】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６８】
本発明の非接触ＩＣを搭載した携帯端末は、電子決済機能や定期券機能、チケット機能などの各種サービス機能を併せ持つ携帯電話やＰＤＡ等の携帯端末として広く利用することができる。
【図面の簡単な説明】
【００６９】
【図１】本発明の実施形態における非接触ＩＣを搭載した携帯端末の構成を示すブロック図
【図２】本発明の実施形態におけるＡＩＤの登録テーブル（ａ）、及び、管理テーブル（ｂ）を示す図
【図３】本発明の実施形態における非接触ＩＣを搭載した携帯端末の動作を示す図（カードアプリを携帯端末から非接触ＩＣにインストールする場合）
【図４】本発明の実施形態における非接触ＩＣを搭載した携帯端末の動作を示す図（カードアプリを非接触ＩＣから退避させて、必要なカードアプリを携帯端末から非接触ＩＣにインストールする場合）
【図５】本発明の実施形態における非接触ＩＣを搭載した携帯端末の動作を示す図（カードアプリを外部Ｒ／Ｗから非接触ＩＣにインストールする場合）
【符号の説明】
【００７０】
１０  携帯端末
１１  制御部
１２  通信部
１３  ＡＩＤ管理部
１４  アプリマネージャ
１５  アプリ格納領域
２０  非接触ＩＣ
２１  Ｒ／Ｗ
２２  カードマネージャ
２３  ＡＩＤ登録部
２４  カードアプリ格納領域
２５  バックアップデータ格納領域
２６  Ｉ／Ｆ部
３０  外部Ｒ／Ｗ
【手続補正３】
【補正対象書類名】図面
【補正対象項目名】全図
【補正方法】変更
【補正の内容】
【図１】
2007001030.tif 000007
【図２】
2007001030.tif 000008
【図３】
2007001030.tif 000009
【図４】
2007001030.tif 000010
【図５】
2007001030.tif 000011
【国際調査報告】
2007001030.tif 000012
2007001030.tif 000013
2007001030.tif 000014
2007001030.tif 000015